(57)【要約】【課題】ショーケースの中に陳列されている商品、展示品を、ショーケースから取り出さずに容易かつ詳細に観察、観賞でき、かつ商品や展示品を取り出した場合には取り付けた拡大鏡を使用して直接商品や展示品を観察、観賞するためのショーケース用拡大装置、並びに拡大レンズ付ショーケースを提供する。【解決手段】フレーム構造よりなり任意のショーケース上を移動する移動機構を有するとともにレンズ保持機能を有するレンズ保持移動体と、レンズ保持移動体に保持されるレンズと、レンズに設けられた持ち手とより構成されことを特徴とするショーケース用拡大装置、並びに拡大レンズ付ショーケース。【選択図】図１
2005103212.tif 000002
【特許請求の範囲】
【請求項１】
フレーム構造よりなり任意のショーケース上を移動する移動機構を有するとともにレンズ保持機能を有するレンズ保持移動体と、レンズ保持移動体に着脱可能に保持されるレンズと、レンズに設けられた持ち手とよりなることを特徴とする、ショーケース用拡大装置。
【請求項２】
フレーム構造よりなり任意のショーケース上を移動する移動機構を有するレンズ保持移動体と、レンズ保持移動体に位置や角度を調整する関節部を介して取付けられたレンズとよりなることを特徴とする、ショーケース用拡大装置。
【請求項３】
ショーケース本体と、ショーケース本体の任意側面に設けられたレールと、そのレールを移動する移動機構を介してショーケース本体に設けられたレンズ保持移動体と、該レンズ保持移動体に位置や角度を調整するフレキシブルアームを介して設けられたレンズとよりなることを特徴とする拡大レンズ付ショーケース。
【請求項４】
ショーケース本体と、ショーケース本体の対向する面に各々設けられたレールと、そのレールを移動するレール移動機構を介して設けられたレンズ受部を有する受側移動体と、他方のレールを移動するレール移動機構を介してショーケース本体に設けられたレンズ側保持移動体と、該レンズ保持側移動体に位置や角度を調節する関節部を介して設けられたレンズとよりなることを特徴とする拡大レンズ付きショーケース。
【発明の詳細な説明】
【技術分野】
【０００１】  本発明は、ショーケースの中に陳列されている商品や展示品などを、ショーケースの中より取り出すことなく、容易かつ詳細に観察、観賞することができ、かつ商品や展示品を取り出した場合には取り付けた拡大鏡を使用して直接商品や展示品を観察、観賞することが可能なショーケース用拡大装置並びに拡大レンズ付ショーケースに関するものである。
【背景技術】
【０００２】  従来、ショーケースの中に陳列されている商品を詳細に観察する場合には、販売員などに依頼して商品をショーケースより取り出してもらい商品を観察していた。
又、博物館、美術館、各種資料館などで、ショーケースの中に展示されている展示品は大体においてショーケースより取り出すことができないため、ショーケースのガラス越しに原寸大のまま観察、観賞していた。
また、商品や展示品を取り出した場合も、原寸大のまま観察、観賞していた。
【発明の開示】
【発明が解決しようとする課題】
【０００３】  そのために、次のような問題があった。
（イ）  商品を詳細に観察するために、商品をショーケースの中から取り出してもらう場        合、販売員などを探さねばならなかった。
（ロ）  また、販売員が他の顧客の対応をしている場合などには、対応の順番を待たなけ        ればならなかった。
（ハ）  一部の高級商品や書画、骨董等の貴重品に関しては、店舗側の防犯上の理由によ        り購入の意志決定がなければショーケースより取り出してもらえない場合もあり        、購入の意思決定以前に詳細に観察することが困難な商品もあった。
（ニ）  商品を取り出した後も、商品を拡大し詳細に観察する場合には、拡大鏡を持参す        るか、販売員などより借りなければならなかった。
（ホ）  博物館、美術館、各種資料館において展示されている、直接手に触れて観察、観        賞できない展示品は、ショーケースのガラス越しに原寸大で観察、観賞するか、        拡大鏡を持参して詳細を観察、観賞するしかなかった。
本発明は、以上の様な不都合を解決するためになされたものである。
【課題を解決するための手段】
【０００４】  ショーケース用拡大装置は、縦ガイドローラー（３）と横ガイドローラー（４）を有するレンズ保持移動体（１）にレンズ（２）を保持させ、ショーケース本体（１１）に取り付ける。
拡大レンズ付ショーケースは、ショーケース本体（１１）の長辺の任意片側上部にレール（１３）を１本取り付け、縦ガイドローラー（３）とレンズ（２）を保持したフレキシブルアーム（１６）を有する移動体ベース（１５）を、レール（１３）側面のレール開口部より縦ガイドローラー（３）のローラー軸（５）が出るようにして取り付ける。
もしくは、ショーケース本体（１１）の長辺両側の上部にレール（１３）を各１本取り付け、縦ガイドローラー（３）を有するレンズ受側移動体ベース（１８）とレンズ（２）を保持したレンズ保持側移動体ベース（１７）を向い合うように、各レール（１３）側面のレール開口部より縦ガイドローラー（３）のローラー軸（５）が出るようにして取り付ける。
以上を特徴とするショーケース用拡大装置、並びに拡大レンズ付ショーケースである。
【発明の効果】
【０００５】  ショーケースより取り出すことなく容易に商品、展示品を詳細に観察、観賞することができる。  また、商品、展示品をショーケースより取り出した場合、移動体に取り付けられた拡大レンズを使用してさらに詳細に商品、展示品を観察、観賞することが可能となる。
【発明を実施するための最良の形態】
【０００６】  以下、本発明の第一実施の形態について図１から図３を利用して説明する。
本発明のショーケース用拡大装置は、図１に示すようにレンズ保持移動体（１）と、レンズ（２）とにより構成される。
図２に示すようにレンズ保持移動体（１）のフレームは、開口部を有する天部材と、天部材の対向する側辺から各々垂下するように設けられた側部材とより構成される。
前記側部材の内側左右上部にローラー軸（５）を介して、縦ガイドローラー（３）を設け、その下に横ガイドローラ（４）を設ける。内側上部に設けた縦ガイドローラー（３）は、対峙する左右各々の縦ガイドローラー（３）との距離が図３で示すように、ショーケース本体（１１）の横幅内に収まる距離に設けられる。内側下部に設けた横ガイドローラー（４）は、対峙する左右各々の横ガイドローラー（３）との距離が図３で示すように、ショーケース本体（１１）の横幅を、対峙する両側の横ガイドローラー（３）で押えることが可能な距離に設けられる。
レンズ保持移動体（１）の天部材に設けられた開口部は、レンズ（２）が丁度填まる大きさを有し、開口部の任意側面の下部にレンズ（２）がレンズ保持移動体（１）内に落下しないためのレンズ受部（６）が設けられる。
レンズ（２）は、持ち手（８）に設けたレンズ保持部（７）でリベット（９）を介して持ち手（８）と留められる。該持ち手（８）は、図３に示すように、レンズ受部（６）の対面に取付けられ、レンズ受部（６）と同様にレンズ（２）がレンズ保持移動体（１）内に落下しないためのストッパーの役割を果たす。
レンズ（２）の大きさは、レンズ保持移動体（１）の天部材に設けられた開口部に丁度填まる大きさである。レンズ（２）の厚さに関しては、図３に示すようにレンズ（２）をレンズ保持移動体（１）の天部材開口部に填め、レンズ（２）がレンズ受部（６）に載った状態の時に、レンズ上面とレンズ保持移動体（１）の上面が水平となるものを採用する。
本発明は、以上のような構造で、これを使用する時は図３に示すように、図２に示したレンズ保持移動体（１）を、レンズ保持移動体（１）が有する縦ガイドローラー（３）がショーケース本体（１１）の上面に、横ガイドローラー（４）がショーケース本体（１１）の長辺側面に接し可動するように設置して使用する。
ショーケース本体（１１）の中に陳列された任意の商品、展示品（１０）の陳列個所にレンズ（２）が合う様にレンズ保持移動体（１）をスライドさせて、商品、展示品（１０）を詳細に観察、観賞する。
また、商品、展示品（１０）をショーケース本体（１１）より取り出して観察、観賞する場合には、図２に示したレンズ保持移動体（１）のレンズ（２）を持ち手（８）を持って取り外し、商品、展示品（１０）と観察、観賞者の眼の適当な距離の間にレンズ（２）を保持し観察、観賞する。【０００７】  以下、本発明の第二実施の形態について図４から図６を利用して説明する。
本発明は、図４に示すようにレンズ保持移動体（１）と、関節部（１２）と、レンズ（２）とにより構成される。
図５に示すように、レンズ保持移動体（１）とレンズ（２）の基本的な構造は第一実施に示した形状と同様である。
但し、第二実施で使用するレンズ保持移動体（１）は、天部材開口部の任意側面下部に設けられたレンズ受部（６）と向かい合う側面に関節部（１２）を有し、該関節部（１２）のレンズ保持部（７）にリベット（９）を介してレンズ（２）が固定される。
本発明は、以上のような構造で、これを使用する時は第一実施同様に設置、使用する。
但し、商品、展示品（１０）をショーケース本体（１１）より取り出して観察、観賞する場合には、図５に示したレンズ保持移動体（１）の関節部（１２）を利用してレンズ（２）の位置、角度を調節し、商品、展示品（１０）と観察、観賞者の眼の適当な距離の間にレンズ（２）を保持し観察、観賞する。【０００８】  以下、本発明の第三実施の形態について図７から図１１を利用して説明する。
本発明は、図７、図８に示すように、ショーケース本体（１１）と、レール（１３）とレールエンド（１４）と、フレキシブルアーム（１６）を取付けた移動体ベース（１５）と、レンズ（２）とにより構成される。
図７に示すように、ショーケース本体（１１）の任意側面にレール（１３）が設けられる。
レール（１３）は図１０に示すように、レール（１３）の横方向にローラー軸（５）を通す為の開口部を有し、その両端には移動体ベース（ｌ５）がレールから脱落しないようにレールエンド（１４）を取付ける。尚、レール（１３）の形状は図１０に示した形状にこだわらず、耐久性、安全性、ショーケース本体（１１）のデザイン等を考慮して、ワイヤー、パイプ形状などを適宜採用する。
図９に示すように、Ｌ字状に曲げられた移動体ベース（１５）の内側面にはローラー軸（５）を介して、縦ガイドローラー（３）が互いの回転を妨げない間隔で並列に設けられる。
縦ガイドローラー（３）の直径と幅は、レール（１３）に収まり、移動に支障のない直径と幅のものを使用する。
ローラー軸（５）の直径は、レール（１３）の開口部を通り、移動に支障のない直径のものを使用する。
移動体ベース（１５）の上面には、レンズ保持部（７）にリベット（９）を介してレンズ（２）を固定したフレキシブルアーム（１６）が設けられる。
レンズ（２）の大きさは、フレキシブルアーム（１６）が保持可能な重量となる大きさで、ショーケース本体（１１）の幅に合ったものが推奨される。
本発明は、以上のような構造で、これを使用する時は図７と図８に示すように、レール（１３）を任意側面に設けたショーケース本体（１１）に、移動体ベース（１５）の縦ガイドローラー（３）のローラー軸（５）が、レール（１３）の開口部を通るようにして取付け、レール（１３）の両端にレールエンド（１４）を取付けて使用する。
ショーケース本体（１１）の中に陳列された任意の商品、展示品（１０）の陳列箇所にレンズ（２）が合う様に移動体ベース（１５）をスライドさせて、商品、展示品（１０）を詳細に観察、観賞する。
また、商品、展示品（１０）をショーケース本体（１１）より取り出して観察、観賞する場合には、フレキシブルアーム（１６）を利用してレンズ（２）の位置、角度を調節し、商品、展示品（１０）と観察、観賞者の眼の適当な距離の間にレンズ（２）を保持し観察、観賞する。【０００９】  以下、本発明の第四実施の形態について図１２から図１７を利用して説明する。
本発明は、図１２、図１３に示すように、ショーケース本体（１１）と、レール（１３）とレールエンド（１４）と、レンズ保持側移動体ベース（１７）と、レンズ受側移動体ベース（１８）と、レンズ（２）とにより構成される。
図１２に示すように、ショーケース本体（１１）の対向する各々の任意側面に、レール（１３）が設けられる
レール（１３）の形状は、前記第三実施で使用するものと同形状のものである。
図１４に示すように、Ｌ字状に曲げられたレンズ保持側移動体ベース（１７）の内側面にはローラー軸（５）を介して、縦ガイドローラー（３）が互いの回転を妨げない間隔で並列に設けられる。
縦ガイドローラー（３）とローラー軸（５）の形状は、前記第三実施で使用するものと同形状のものである。
レンズ保持側移動体ベース（１７）は上面に関節部（１２）を有し、該関節部（１２）のレンズ保持部（７）にリベット（９）を介してレンズ（２）が固定される。
図１５に示すように、Ｌ字上に曲げられたレンズ受側移動体ベース（１８）の内側面には、前記レンズ保持側移動体ベース（１７）と同様に縦ガイドローラー（３）が設けられる。
レンズ受側移動体ベース（１８）の上面先端部には、レンズ受部（６）が設けられる。レンズ受部（６）の幅と深さは、レンズ（２）が填まる幅と深さを有する。
レンズ（２）の大きさは、レンズ受側移動体ベース（１８）のレンズ受部（６）に合わせた大きさの物を使用する。  レンズ（２）の厚さに関しては、図１６に示すようにレンズ（２）がレンズ受部（６）に載った状態の時に、レンズ上面とレンズ受側移動体ベース（１８）とレンズ保持側移動体ベース（１７）の上面が水平となるものを採用する。
本発明は、以上のような構造で、これを使用する時は図１２と図１３に示すように、レール（１３）を対向する各々の任意側面に設けたショーケース本体（１１）に、レンズ保持側移動体ベース（１７）を前記第三実施と同様の手順で一方のレール（１３）に取付け、他方のレール（１３）にレンズ受側移動体ベース（１８）をレンズ保持側移動体ベース（１７）と向き合う状態で取付けて使用する。
ショーケース本体（１１）の中に陳列された任意の商品、展示品（１０）の陳列箇所にレンズ（２）が合う様にレンズ保持側移動体ベース（１７）とレンズ受側移動体ベース（１８）をスライドさせて、商品、展示品（１０）を詳細に観察、観賞する。
また、商品、展示品（１０）をショーケース（１１）より取り出して観察、観賞する場合には、レンズ保持側移動体ベース（１７）の関節部（１２）を利用してレンズ（２）の位置、角度を調節し、商品、展示品（１０）と観察、観賞者の眼の適当な距離の間にレンズ（２）を保持し観察、観賞する。
【図面の簡単な説明】
【０００９】
【図１】実施例１ショーケース用拡大装置概念斜視図
【図２】実施例１レンズ保持移動体概念斜視図
【図３】実施例１ショーケース用拡大装置概念側面図
【図４】実施例２ショーケース用拡大装置概念斜視図
【図５】実施例２レンズ保持移動体概念斜視図
【図６】実施例２ショーケース用拡大装置概念側面図
【図７】実施例３拡大レンズ付きショーケース概念斜視図
【図８】実施例３拡大レンズ付ショーケース概念分解斜視図
【図９】実施例３移動体ベース概念斜視図
【図１０】レールとレールエンド概念斜視図
【図１１】実施例３拡大レンズ付ショーケース概念側面図
【図１２】実施例４拡大レンズ付ショーケース概念斜視図
【図１３】実施例４拡大レンズ付ショーケース概念分解斜視図
【図１４】実施例４レンズ保持側移動体ベース概念斜視図
【図１５】実施例４レンズ受け側移動体ベース概念斜視図
【図１６】実施例４拡大レンズ付ショーケース概念側面図１
【図１７】実施例４拡大レンズ付ショーケース概念側面図２
【符号の説明】
【００１０】１    レンズ保持移動体
２    レンズ
３    縦ガイドローラー
４    横ガイドローラー
５    ローラー軸
６    レンズ受部
７    レンズ保持部
８    持ち手
９    リベット
１０  商品又は展示品
１１  ショーケース本体
１２  関節部
１３  レール
１４  レールエンド
１５  移動体ベース
１６  フレキシブルアーム
１７  レンズ保持側移動体ベース
１８  レンズ受側移動体ベース
【図１】
2005103212.tif 000003
【図２】
2005103212.tif 000004
【図３】
2005103212.tif 000005
【図４】
2005103212.tif 000006
【図５】
2005103212.tif 000007
【図６】
2005103212.tif 000008
【図７】
2005103212.tif 000009
【図８】
2005103212.tif 000010
【図９】
2005103212.tif 000011
【図１０】
2005103212.tif 000012
【図１１】
2005103212.tif 000013
【図１２】
2005103212.tif 000014
【図１３】
2005103212.tif 000015
【図１４】
2005103212.tif 000016
【図１５】
2005103212.tif 000017
【図１６】
2005103212.tif 000018
【図１７】
2005103212.tif 000019